(57)【要約】【課題】構造が非常に簡単であり、製作コストが安価であり、また施工性も優れている緑化パネルおよびその緑化パネルを用いた緑化壁を提供すること。【解決手段】鋼板を折曲して形成された断面略コ字形のパネル本体１と、パネル本体１の下部に形成された樋部２内の土壌層４と、を有する緑化パネルである。パネル本体１は、背面板１１と、背面板１１の下端縁から前方へ延出された底板１２と、底板１２の前端部から上方へ折曲形成された前板１３と、背面板１１の上端縁から前方へ延出された天板１４と、天板１４の前端部から下方へ折曲形成された補強板１５とを有する。背面板１１、底板１２および前板１３により樋部２が形成されている。天板１４および底板１２にそれぞれ潅水孔１７が形成されている。【選択図】図１
2008283962.tif 000002
【特許請求の範囲】
【請求項１】
断面略コ字形のパネル本体と、該パネル本体の下部に形成された樋部内に充填された植栽用の土壌層と、を有する緑化パネルであって、
該パネル本体は、背面板と、該背面板の下端縁から前方へ延出された底板と、該底板の前端部から上方へ折曲形成された前板と、該背面板の上端縁から前方へ延出された天板と、該天板の前端部から下方へ折曲形成された補強板とを有し、該背面板、底板および前板により該樋部が形成され、該天板および底板にそれぞれ潅水孔が形成されている緑化パネル。
【請求項２】
前記土壌層の下側において前記樋部内にフェルトまたは不織布よりなる透水層が配設されている請求項１に記載の緑化パネル。
【請求項３】
前記土壌層は、土壌スラリーを樋部内に吹き付けることにより形成されている請求項１に記載の緑化パネル。
【請求項４】
前記土壌層は植物の種子を含み、かつ土壌層に植物の苗が植えられている請求項１に記載の緑化パネル。
【請求項５】
前記パネル本体が、鋼板を折曲して形成された断面略コ字形の横方向に長いパネルで形成されている請求項１に記載の緑化パネル。
【請求項６】
請求項１に記載の緑化パネルを、一対の支柱間に配設すると共に、上下に複数段の緑化パネルを積層してなる緑化壁であって、
上段の緑化パネルの底板と、下段の緑化パネルの天板とが接合するように複数の緑化パネルが上下に積層され、上段の緑化パネルの底板に形成された潅水孔と下段の緑化パネルの天板に形成された潅水孔とが連通している緑化壁。
【請求項７】
前記下段の緑化パネルの天板に形成された潅水孔の周囲にリング状のコーキングが形成され、該コーキングによって上下の緑化パネルが接続されている請求項６に記載の緑化壁。
【請求項８】
潅水装置に接続されたホースが前記緑化パネルの樋部内に配置されている請求項６に記載の緑化壁。
【請求項９】
前記支柱が断面Ｈ字形に形成され、緑化パネルの端部が該支柱の側面に形成された溝内に配置されている請求項６に記載の緑化壁。
【請求項１０】
断面略コ字形のパネル本体と、該パネル本体の下部に形成された樋部内に充填された植栽用の土壌層と、を有する緑化パネルであって、
該パネル本体は、背面板と、該背面板の下端縁から前方へ延出された底板と、該底板の前端部から上方へ折曲形成された前板と、該背面板の上端縁から前方へ延出された天板と、該天板の前端部から背面板方向へ延出された傾斜板とを有し、該背面板、底板および前板により該樋部が形成され、該天板および底板にそれぞれ潅水孔が形成されている緑化パネル。
【請求項１１】
前記天板の前端部から上板が上方へ延出され、前記背面板の上端部から延出板が上方へ延出され、該天板、上板および延出板とで上方が開放する樋状の凹部が形成されている請求項１０に記載の緑化パネル。
【請求項１２】
前記凹部は、該緑化パネルの上に積層された別の緑化パネルの樋部が嵌合されるように凹部の寸法が設定されている請求項１１に記載の緑化パネル。
【請求項１３】
前記傾斜板は、前記天板に形成された潅水孔から流下する水を受けるように形成され、該傾斜板の先端部と背面板との間に隙間が形成され、該傾斜板上に流下した水は該隙間から背面板を伝って流下する請求項１０に記載の緑化パネル。
【請求項１４】
前記傾斜板は、前記天板から分離可能に構成され、該傾斜板の上端部に形成された係合部を該天板の前端部に形成された上板の上端部に係合することにより、傾斜板は天板に取り付けられる請求項１０に記載の緑化パネル。
【請求項１５】
請求項１０に記載の緑化パネルを、一対の支柱間に配設すると共に、上下に複数段の緑化パネルを積層してなる緑化壁であって、
下段の緑化パネルの凹部内に、上段の緑化パネルの樋部が嵌合するように複数の緑化パネルが上下に積層され、上段の緑化パネルの底板に形成された潅水孔と下段の緑化パネルの天板に形成された潅水孔とが連通している緑化壁。
【請求項１６】
前記最上段の緑化パネルの凹部内に潅水用のホースが配設される請求項１５に記載の緑化壁。
【発明の詳細な説明】
【技術分野】
【０００１】
本発明は、駐車場あるいは建築工事現場などの周囲に設置される壁面パネルなどのような構造物の壁面を緑化した緑化パネルおよび緑化パネルを用いた緑化壁に関する。
【背景技術】
【０００２】
建築工事現場などの周囲に壁面パネルなどの構造物を設置して、建築現場を道路から隔離し、あるいは遮音することが行われている。また、緑化に寄与して環境を良くするために、壁面表面を緑化することも行われている。
【０００３】
例えば、特開２００５−２７８４０２号公報（特許文献１）には、ウッドチップパネルをパネル枠により複数連結してウッドチップユニットを構成し、このユニットを一対の支柱間に配置して上下多段に積層し、その壁面に植栽容器を設置した壁面緑化用壁が開示されている。
【０００４】
また、特開２００５−１６０３８１号公報（特許文献２）には建築物の外壁面を緑化する装置が開示され、特開２０００−８０６１２号公報（特許文献３）には部分緑化型防音壁が開示され、特開２００２−２３８３７９号公報（特許文献４）には壁面パネルとそれを用いた緑化基盤の形成方法が開示され、特開２００３−１２９４２９号公報（特許文献５）には植栽パネルを用いた防音壁が開示され、特開２００４−３５０５２８号公報（特許文献６）には壁面緑化装置が開示され、特開２００２−７７号公報（特許文献７）には壁面緑化パネルが開示されている。
【０００５】
しかし、上記の各先行技術に記載された緑化パネルは、成形された植栽用のマットを用いる場合が多く、そのため生産コストが高くなり、また施工性も劣る。
【０００６】
特に、板状の植栽用マットを壁面に取り付けたものでは、植物を保持するための構造が複雑となり、コストが高くなる。また潅水のための構造が複雑になり、しかも潅水も十分行えない。
【０００７】
パネルを複雑に加工した場合には、加工費が高くなり、また組み立てや施工性も劣る。
【特許文献１】特開２００５−２７８４０２号公報
【特許文献２】特開２００５−１６０３８１号公報
【特許文献３】特開２０００−８０６１２号公報
【特許文献４】特開２００２−２３８３７９号公報
【特許文献５】特開２００３−１２９４２９号公報
【特許文献６】特開２００４−３５０５２８号公報
【特許文献７】特開２００２−７７号公報
【発明の開示】
【発明が解決しようとする課題】
【０００８】
本発明は上記欠点を解決するためになされたもので、従来のような板状の植栽用マットを用いることがなく、そのため製作コストが安価であり、また施工性も良い緑化パネルおよびその緑化パネルを用いた緑化壁を提供することを目的とする。
【０００９】
本発明の他の目的は、構造が非常に簡単であり、生産コストが安く、また組み立てや施工性にも優れている緑化パネルおよび緑化壁を提供することにある。
【００１０】
本発明のさらに他の目的は、潅水のための構造が簡略にでき、また潅水も十分に行える緑化パネルおよび緑化壁を提供することにある。
【課題を解決するための手段】
【００１１】
本発明の一実施形態の緑化パネルは、断面略コ字形のパネル本体と、該パネル本体の下部に形成された樋部内に充填された植栽用の土壌層と、を有する緑化パネルであって、該パネル本体は、背面板と、該背面板の下端縁から前方へ延出された底板と、該底板の前端部から上方へ折曲形成された前板と、該背面板の上端縁から前方へ延出された天板と、該天板の前端部から下方へ折曲形成された補強板とを有し、該背面板、底板および前板により該樋部が形成され、該天板および底板にそれぞれ潅水孔が形成されており、そのことにより上記目的が達成される。
【００１２】
一つの実施形態では、前記土壌層の下側において前記樋部内にフェルトまたは不織布よりなる透水層が配設されている。
【００１３】
一つの実施形態では、前記土壌層は、土壌スラリーを樋部内に吹き付けることにより形成されている。
【００１４】
一つの実施形態では、前記土壌層は植物の種子を含み、かつ土壌層に植物の苗が植えられている。
【００１５】
一つの実施形態では、前記パネル本体が鋼板を折曲して形成された断面略コ字形の横方向に長いパネルで形成されている。
【００１６】
本発明の緑化壁は、上記緑化パネルを、一対の支柱間に配設すると共に、上下に複数段の緑化パネルを積層してなる緑化壁であって、上段の緑化パネルの底板と、下段の緑化パネルの天板とが接合するように複数の緑化パネルが上下に積層され、上段の緑化パネルの底板に形成された潅水孔と下段の緑化パネルの天板に形成された潅水孔とが連通しており、そのことにより上記目的が達成される。
【００１７】
一つの実施形態では、前記下段の緑化パネルの天板に形成された潅水孔の周囲にリング状のコーキングが形成され、該コーキングによって上下の緑化パネルが接続されている。
【００１８】
一つの実施形態では、潅水装置に接続されたホースが前記緑化パネルの樋部内に配置されている。
【００１９】
一つの実施形態では、前記支柱が断面Ｈ字形に形成され、緑化パネルの端部が該支柱の側面に形成された溝内に配置されている。
【００２０】
本発明の他の実施形態の緑化パネルは、断面略コ字形のパネル本体と、該パネル本体の下部に形成された樋部内に充填された植栽用の土壌層と、を有する緑化パネルであって、該パネル本体は、背面板と、該背面板の下端縁から前方へ延出された底板と、該底板の前端部から上方へ折曲形成された前板と、該背面板の上端縁から前方へ延出された天板と、該天板の前端部から背面板方向へ延出された傾斜板とを有し、該背面板、底板および前板により該樋部が形成され、該天板および底板にそれぞれ潅水孔が形成されている。
【００２１】
一つの実施形態では、前記天板の前端部から上板が上方へ延出され、前記背面板の上端部から延出板が上方へ延出され、該天板、上板および延出板とで上方が開放する樋状の凹部が形成されている。
【００２２】
一つの実施形態では、前記凹部内に、該緑化パネルの上に積層された別の緑化パネルの樋部が嵌合される。
【００２３】
一つの実施形態では、前記傾斜板は、前記天板に形成された潅水孔から流下する水を受けるように形成され、該傾斜板の先端部と背面板との間に隙間が形成され、該傾斜板上に流下した水は該隙間から背面板を伝って流下する。
【００２４】
一つの実施形態では、前記傾斜板は、前記天板から分離可能に構成され、該傾斜板の上端部に形成された係合部を該天板の前端部に形成された上板の上端部に係合することにより、傾斜板は天板に取り付けられる。
【００２５】
本発明の他の実施形態の緑化壁は、上記緑化パネルを、一対の支柱間に配設すると共に、上下に複数段の緑化パネルを積層してなる緑化壁であって、下段の緑化パネルの凹部内に、上段の緑化パネルの樋部が嵌合するように複数の緑化パネルが上下に積層され、上段の緑化パネルの底板に形成された潅水孔と下段の緑化パネルの天板に形成された潅水孔とが連通している。
【００２６】
一つの実施形態では、前記凹部内に潅水用のホースが配設される。
【発明の効果】
【００２７】
本発明の緑化パネルは、断面略コ字形のパネル本体と、パネル本体の下部に形成された樋部内に充填された植栽用の土壌層と、を有する緑化パネルであって、パネル本体に形成された背面板、底板および前板により樋部が形成されていることにより、鋼板を折曲することによってパネル本体を容易にかつ安価に作製でき、そして樋部内の土壌層に植物の種子を含ませおよび／または苗を植えつけることで、緑化を図ることができる。また樋部内に土壌層を容易に配設することができ、また土壌層が潅水や雨水などによって流されることもない。
【００２８】
パネル本体の天板および底板にそれぞれ潅水孔を形成することにより、上下多段に緑化パネルを積み重ねて壁面を構成した場合に、潅水孔を通して潅水を上段の緑化パネルから下段の緑化パネルへ流下させることができる。また、潅水孔をパネル本体の天板および底板に複数（例えば、５〜１５、特に９個）設けることにより、樋部内に溜まった水を各潅水孔から下段の緑化パネルに流下させることで、水を均等に分配できる。土壌層の下側にフェルトまたは不織布よりなる透水層が配設されていることにより、土壌層へ供給された潅水を透水層によって全体に供給することができる。それによって植物の生育状態を均一化することができる。
【００２９】
土壌層は土壌スラリーを樋部内に吹き付けることにより形成すると、簡単に土壌層を形成でき、作製費を低減できる。
【００３０】
また、本発明の緑化壁は、上記構成の緑化パネルを、一対の支柱間に配設すると共に、上下に複数段の緑化パネルを積層し、上段の緑化パネルの底板と、下段の緑化パネルの天板とが接合するように複数の緑化パネルが上下に積層され、上段の緑化パネルの底板に形成された潅水孔と下段の緑化パネルの天板に形成された潅水孔とが連通しているので、複数の緑化パネルを支柱間で上下に積み重ねるだけで緑化壁を構成でき、手間が少なく、また施工性に優れコストも安価である。
【００３１】
下段の緑化パネルの天板に形成された潅水孔の周囲にリング状のコーキングが形成され、該コーキングによって上下の緑化パネルが接続されていることにより、上段の緑化パネルの底板の潅水孔から下段の緑化パネルの天板の潅水孔へ潅水が流下する際に水漏れを防止でき、かつそのコーキングによって上下の緑化パネルを接続することができる。
【００３２】
潅水装置に接続されたホースが緑化パネルの樋部内に配置されていることにより、各緑化パネルの土壌層に潅水装置から潅水でき、また潅水孔を通して下段の緑化パネルの土壌層に潅水できる。
【００３３】
また、本発明の別の実施形態の緑化パネルでは、天板の前端部から背面板方向へ延出された傾斜板を有し、背面板、底板および前板により樋部が形成され、該天板および底板にそれぞれ潅水孔が形成されている。
【００３４】
そのため、天板の潅水孔を通って流下した水は、傾斜板上に落ちて流れ、傾斜板の先端部と背面板との間に形成された隙間から水は流下して背面板の表面を伝って流れる。
【００３５】
そのため、天板の潅水孔から樋部内の植物に直接水が降りかかることがなく、またその水が跳ね返って樋部前方へ飛び散ることもない。
【００３６】
天板の前端部から上板が上方へ延出され、背面板の上端部から延出板が上方へ延出され、該天板、上板および延出板とで上方が開放する樋状の凹部が形成されていることにより、この凹部内に、緑化パネルの上に積層した別の緑化パネルの樋部を嵌合できる。このようにして上下多段に複数の緑化パネルを積み重ねることができる。また、凹部を利用してその凹部内に潅水用のホースを配設することもできる。
【００３７】
傾斜板を、天板とは別部材で構成してもよい。つまり、傾斜板を天板から分離可能に構成し、傾斜板の上端部に形成した係合部を天板の前端部に形成された上板の上端部に係合することにより傾斜板を天板に取り付けるように構成してもよい。このように構成することにより、製造が容易になり、作製コストが低減できる。また、一枚の鋼板を折り曲げて緑化パネルを一体物で構成してもよい。さらに複数の部材（２以上)に分割して緑化パネルを構成し、各部材を溶接、リベット、ネジ、など公知の接合手段により接合してもよい。
【発明を実施するための最良の形態】
【００３８】
本発明の実施形態を図面に基づいて説明する。
【００３９】
本発明の緑化パネルＡは、図１に示すように、パネル本体１と、そのパネル本体１内に形成された樋部２に配設される透水層３と、透水層３の上面に形成される植栽用の土壌層４と、を有する。
【００４０】
パネル本体１は、横方向に長い矩形状の背面板１１を有し、該背面板１１の下端縁から底板１２を前方へ延出し、該底板１２の前端部から前板１３を上方へ折曲形成して、該背面板１１、底板１２および前板１３とで上方が開口する樋部２を形成し、背面板１１の上端縁から天板１４を前方へ延出し、該天板１４の前端部から補強板１５を下方へ折曲形成して断面略コ字形に形成されている。
【００４１】
パネル本体１は、ガルバ鋼板、アルミニウム板などの金属板を折り曲げて形成することができる。また、パネル本体１は、アクリル樹脂など透明樹脂板の成形品で形成することもできる。パネル本体１を透明板で構成することにより、緑化パネルＡを高層駐車場の外壁として使用した場合に、建物の外壁を緑化できる上に駐車場の利用者も透明な背面板を通して植物を見ることができる。
【００４２】
前板１３の上端縁および補強板１５の下端縁との間には横方向に長い開口部１６が形成されている。
【００４３】
上記樋部２内には透水層３が配設されその透水層３の上面に土壌層４が配設されている。
【００４４】
透水層３としては、フェルト、不織布などで形成することができる。
【００４５】
透水層３を設けることにより、樋部２に供給された水を樋部２全体に拡散させることができる。
【００４６】
また土壌層４としては、次のような成分を有する土壌を使用することができる。
【００４７】
粘性の土壌を一旦泥状化し、土壌の一次粒子と長い鎖状をした超高分子（凝集剤）を混合、反応させることにより、土壌一次粒子と超高分子とのイオン結合と架橋により耐侵食性のある高次団粒構造を形成した土壌が得られる。
【００４８】
主材料は、以下の粘性土、有機物、養生材および凝集剤を含む。
【００４９】
粘性土：植物の生育に最適な黒土（火山灰質土）
有機物：産業廃棄物を利用したバーク堆肥
養生材：基材を均一に混合させる目的、土壌団粒間のつなぎの役割で使用する。
【００５０】
高分子凝集剤：ラサ工業（株）のラサフロック（ＲＡ−５１）、中アニオン
上記土壌層４は、上記材料を混合した土壌スラリーをノズルから樋部２内に吹き付けて形成することができる。
【００５１】
土壌層には、他の増粘剤、腐葉土、肥料、植物の種子などを含ませることができる。
【００５２】
そして、樋部２内にスラリーを吹き付けた後、植物が生育したポット苗（例えば、常緑キリンソウなど）を植えつける。形成された土壌は保形性、保水性に優れているものである。
【００５３】
図３に示すように、潅水装置（図示せず）に接続されたホース６を各緑化パネルＡの土壌層４の上に配設してもよく、あるいは複数段の緑化パネルＡおきに、例えば、２段毎、又は３段毎にホース６を設置してもよい。ホース６には複数の潅水口が形成されており、ホース６から潅水口を通して透水層３の上面に潅水することができる。
【００５４】
また、図２および図３に示すように、パネル本体１の底板１２および天板１４には潅水孔１７が複数形成されており、上段に配置された緑化パネルＡの樋部２内に溜まった水は、底板１２の潅水孔１７、および下段の緑化パネルＡの天板１４の潅水孔１７を通して下段に設置された緑化パネルＡ内に流下し潅水することができる。
【００５５】
潅水孔１７の個数は、パネル本体１の長さに応じて適宜決定すればよいが、例えば、２５０ｃｍ幅のパネルの場合、５〜１５個程度とすることができ、特に９個とするのが好ましい。適切な個数の潅水孔１７を設けることにより、樋部２に溜まった水を各潅水孔１７から下段の緑化パネルＡに流下させることができるので、水を均等に配分でき、植物の生育状態を均等にすることができる。
【００５６】
なお、土壌層４の上端は前板１３の上端よりやや下側（３〜５ｍｍ下側）に位置するのがよい。
【００５７】
次に、緑化パネルＡの施工方法を説明する。
【００５８】
図６〜図１０に示すように、断面Ｈ字形の支柱８を一定間隔おきに立設し、左右の支柱８間に緑化パネルＡを配置して、この緑化パネルＡを上下複数段に積み重ねる。緑化パネルＡの端部はＨ型鋼８の溝内に挿入する。
【００５９】
複数の緑化パネルＡを積み重ねる際には、潅水孔１７の周囲にコーキング材１９をリング状に塗工して（図２）、そのコーキング材１９にて上下の緑化パネルＡを接合する。コーキング材１９をリング状に塗工することにより、上段の緑化パネルＡの底板１２に形成した潅水孔１７と下段の緑化パネルＡの天板１４に形成した潅水孔１７とを水漏れなく連通させることができる。
【００６０】
なお、最下段の緑化パネルＡの下側には樋部材９を配置するのがよく、最下段の緑化パネルＡから流下した水を樋部材９から排水することができる。
【００６１】
また、最上段の緑化パネルＡの上面にはカバー又は笠木１０を設けるのがよく、最上段の緑化パネルＡの天板に形成した潅水孔１７を笠木１０によって覆い隠すことができる。
【００６２】
図９に示す実施例においては、支柱８内に潅水用チューブ２１を添わせてこのチューブ２１から潅水用ホース６に潅水を供給するようにしてもよい。
【００６３】
又は、図８から図９に示すように、緑化パネルＡの端部に潅水チューブ２１を上下方向に配設し、緑化パネルＡの背面板に設けた通孔２２を通して潅水ホース６に接続するようにしてもよい。
【００６４】
このようにして緑化壁が構成される。
【００６５】
パネル本体１の各部の寸法は次のとおりとすることができる。
【００６６】
背面板１１の上下寸法：２４０ｍｍ、前板１３の上下寸法：５０ｍｍ、補強板１５の上下寸法：５０ｍｍ、底板１２および天板１４の前後寸法：５０ｍｍ、パネル本体１の横幅寸法２４７０ｍｍ。
【００６７】
上記のような構成にすることにより、パネル本体１は上下対称であるので、上下で誤ってパネル本体１を取り付けるようなことがなく、また鋼板を折曲することで形成できるので、作製費用が非常に安価となる。
【００６８】
樋部２内に設けられた土壌層４は保形性に優れているので、潅水あるいは雨などによって土壌が流れ出ることがなく、かつ保水性にも優れているので、植物が枯れることもない。
【００６９】
また、補強板１５が庇のように生育した植物を覆うので、強風や強雨などにより植物が倒れるのを抑制することができる。補強板１５の先端部および前板１３の先端部には折り返しまたはアールを付けて植物あるいは人などが傷つくのを防止するのが良い。
【００７０】
なお、図１１、図１２に示すように、前板１３に段部２６を形成すると共に、前板１３の上端縁から延出板２４を前方へ延出してもよい。このように延出板２４を前方へ張り出すことにより、雨水を効率よく樋部２内に集めることができる。またこのように構成することにより、潅水装置、潅水のためのホース等を省略することもできる。補強板１５の下端縁は折り返してあって丸みが付けられ、生育した植物が傷つけられるのを防止している。また、延出板２４の先端にも折り返しがあって丸みが付けられ、人等が傷つけられるのを防止している。
【００７１】
この実施例では、最上端の緑化パネルＡの上側には、笠木の替わりに樋状の集水カバーが取り付けられる。
【００７２】
なお、図１２は図１１に示すパネル本体１を広げた状態を示している。このパネル本体１を折り曲げることにより、図１１に示した断面構成のパネル本体１が作成される。図１２において、符号２８は支柱としてＨ字鋼の端部を挿入配置するための凹部であり、左右複数の緑化パネルの端部を支柱部分にて支持すると共に延出板２４を支柱部分よりも前方へ張り出すことができる。
【００７３】
緑化パネルＡの背面板１１の後側に断熱層を配設して、土壌層４などを断熱するようにしてもよい。
【００７４】
なお、図１３〜図１６はさらに他の実施例を示したものである。
【００７５】
この実施例では、パネル本体１は、背面板１１と、該背面板１１の下端縁から前方へ延出された底板１２と、該底板１２の前端部から上方へ折曲形成された前板１３と、該背面板１１の上端縁から前方へ延出された天板１４と、該天板１４の前端部から背面板１１方向へ延出された傾斜板３０とを有している。これらの背面板１１、底板１２および前板１３により上方が開放する樋部２が形成されている。また、天板１４および底板１２にそれぞれ潅水孔１７が形成されている。
【００７６】
該天板１４の前端部から上板３２が上方へ延出され、背面板１１の上端部から延出板３４が上方へ延出され、該天板１４、上板３２および延出板３４とで上方が開放する樋状の凹部３６が形成されている。
【００７７】
この凹部３６内に、緑化パネルＡの上に積層された別の緑化パネルＡの樋部２が嵌合される。従って、凹部３６内の幅寸法および樋部２の幅寸法は、下段の緑化パネルＡの凹部３６内に上段に配置された緑化パネルＡの樋部２ががたつくことなく嵌合するように設定される（図１５）。
【００７８】
図１６に示すように、最上段に設置された緑化パネルＡの凹部３６内には潅水用のホース３８が配設される。ホース３８には複数の潅水口が形成されている。潅水口に逆止弁を設けて、水が逆流しないように構成されている。
【００７９】
ホース３８の潅水口から流下した水は、凹部３６内に溜まり、この凹部３６内の水は天板１４に形成された孔から下方へ流下する。
【００８０】
上記傾斜板３０は、前記天板１４に形成された潅水孔１７から流下する水を受けるように天板１４の下方位置に配置されている。この傾斜板３０の先端部と背面板１１との間には隙間４２が形成され、天板１４の孔から傾斜板３０上に流下した水が隙間４２を通り、背面板１１表面を伝って流下する。
【００８１】
また、傾斜板３０は、天板１４から分離可能に構成されている。すなわち、傾斜板３０の上端部に鋼板を折り返して係合部４０が形成されている。そして、天板１４の前端部に上板３２が上方へ延出して形成されている。この上板３２の上端部に傾斜板３０の係合部４０を係合することにより、傾斜板３０は天板１４に取り付けられている。
【００８２】
上記構成の緑化パネルＡを用いて駐車場、工事周辺などの緑化壁を構成する場合には、上記した一対の支柱８間に緑化パネルＡを配設すると共に、上下に複数段の緑化パネルＡを積層する。ここで、下段の緑化パネルＡの凹部３６内に上段の緑化パネルＡの樋部２が嵌合するように複数の緑化パネルＡを上下に積層する。上段の緑化パネルＡの底板１２に形成された潅水孔１７と下段の緑化パネルＡの天板１４に形成された潅水孔１７とが連通する。そして、最上段の緑化パネルＡの凹部３６に潅水用ホース３８を配設する。
【００８３】
ホース３８の一端部は水道水などの水源に接続され、ホース３８の先端部は閉じられている。従って、ホース３８の潅水口から水が凹部３６内に溜まり、凹部３６の潅水孔１７から水が流下して傾斜板３０上に落ちる。傾斜板３０上の水は背面板１１方向へ流れ、隙間４２から背面板１１の表面を伝って樋部２内へ溜まる。樋部２内の水は、上記したように、孔を伝って、同様に下段の緑化パネルＡの傾斜板３０上に流下する。
【００８４】
なお、上下の緑化パネルＡを嵌合する際には、天板１４の潅水孔１７周囲にコーキングを充填し、その天板１４上に上段の緑化パネルＡの底板１２を配置すれば、上下の緑化パネルＡがコーキングによって固着できると共に、水が天板１４と底板１２との間に伝わることがなく、孔を通して下方へ流下できる。
【００８５】
また、傾斜板３０は天板１４と一体に構成してもよい。すなわち、一枚の鋼板などから折曲して緑化パネルＡを構成してもよい。傾斜板３０の先端部を波状として背面板との間に隙間を形成したり、傾斜板３０の先端部側に複数の通孔をあけてもよい。図１７に示すように、ホース３８は、傾斜板３０と天板１４および背面板１１との間にできる空間部内または樋部内に配置してもよい。この場合、ホース３８から出た潅水は隙間４２を通って背面板１１を伝って下方へ流下する。ホース３８を係止する係止部、段部などを傾斜板３０の内面の適宜箇所に設けてもよい。
【図面の簡単な説明】
【００８６】
【図１】本発明の緑化パネルの断面図である。
【図２】本発明の緑化パネルの斜視図である。
【図３】本発明の緑化壁の断面図である。
【図４】本発明の緑化壁の概略斜視図である。
【図５】パネル本体を形成する前の鋼板の一部切欠平面図である。
【図６】本発明の緑化壁の正面図である。
【図７】本発明の緑化壁の断面図である。
【図８】本発明の緑化壁の平面図である。
【図９】本発明の緑化壁の他の実施例の正面図である。
【図１０】本発明の緑化壁の他の実施例の断面図である。
【図１１】本発明の他の実施例の緑化パネルの断面図である。
【図１２】図１１に示す緑化パネルを構成する鋼板パネルの折曲する前の状態の平面図である。
【図１３】本発明の緑化パネルのさらに他の実施例の斜視図である。
【図１４】本発明の緑化パネルのさらに他の実施例の断面図である。
【図１５】本発明の緑化パネルのさらに他の実施例の断面図である。
【図１６】図１５に示す緑化パネルの作用説明図である。
【図１７】ホースとの取り付け位置を示す緑化パネルの作用説明図である。
【符号の説明】
【００８７】
１    パネル本体
２    樋部
３    透水層
４    土壌層
６    ホース
８    支柱
１０  笠木
１１  背面板
１２  底板
１３  前板
１４  天板
１５  補強板
３０  傾斜板
３２  上板
３４  延出板
３６  凹部
【図１】
2008283962.tif 000003
【図２】
2008283962.tif 000004
【図３】
2008283962.tif 000005
【図４】
2008283962.tif 000006
【図５】
2008283962.tif 000007
【図６】
2008283962.tif 000008
【図７】
2008283962.tif 000009
【図８】
2008283962.tif 000010
【図９】
2008283962.tif 000011
【図１０】
2008283962.tif 000012
【図１１】
2008283962.tif 000013
【図１２】
2008283962.tif 000014
【図１３】
2008283962.tif 000015
【図１４】
2008283962.tif 000016
【図１５】
2008283962.tif 000017
【図１６】
2008283962.tif 000018
【図１７】
2008283962.tif 000019